(57)【特許請求の範囲】
【請求項１】
熱搬送媒体と被調和室の空気とを熱交換させる熱交換部と、
該熱交換部と配管により環状に接続されと共に、冷熱又は温熱のうち少なくとも一方を蓄熱する蓄熱材を備えた蓄熱部と、
前記熱交換部に前記蓄熱部と並列接続されると共に、前記蓄熱部と熱接触して設けられて、前記蓄熱材との間で熱を移動させて蓄熱させる熱移送部と、
該熱移送部と前記蓄熱部との並列接続点位置に設けられて、前記蓄熱部に冷熱又は温熱を蓄熱する際には、前記熱搬送媒体が前記熱交換部と前記熱移送部との間を循環するように循環路を切換えて、該熱移送部により前記熱搬送媒体と前記蓄熱部とを熱交換させて該蓄熱部に蓄熱させ、また前記蓄熱部に蓄熱した冷熱又は温熱を利用する際には、前記熱搬送媒体が前記熱交換部と前記蓄熱部との間を循環するように循環路を切換えて、前記蓄熱部に蓄熱した熱により冷却又は加熱された熱搬送媒体が前記熱交換部で被調和室の空気と熱交換できるようにする循環路切換部と、
前記蓄冷材への蓄熱が完了した後は、前記熱搬送媒体の温度と被調和室の温度との温度差が所定値より小さくなるまで、前記循環路切換部による循環路の切換えを行わないようにする制御部とを有することを特徴とする蓄熱空気調和機。
【請求項２】
前記制御部が、蓄熱の完了後所定時間だけ前記循環路切換部が循環路を切換えないようにして、前記熱搬送媒体の温度と被調和室の温度との温度差が所定値より小さくなるまで待機させるようにしたことを特徴とする請求項１記載の蓄熱空気調和機。
【請求項３】
前記熱交換部が、前記熱搬送媒体と被調和室の空気とを熱交換させる熱交換器と、該熱交換器を介して被調和室の空気を循環させる送風機とを有し、かつ、前記制御部が冷房又は暖房運転の開始直後所定時間だけ前記送風機の風量を少なくし又は送風を停止するようにしたことを特徴とする１又は２記載の蓄熱空気調和機。
【請求項４】
前記制御部は、被調和室の温度が設定温度になると、その状態を維持すべく前記送風機の風量を減らし又は当該送風機を断続運転させるようにしたことを特徴とする請求項１乃至３いずれか１項記載の蓄熱空気調和機。
【請求項５】
前記熱搬送媒体を循環させるポンプが設けられ、被調和室の温度が設定温度になると、前記制御部がこの状態を維持すべく、前記ポンプを制御して前記熱搬送媒体の循環量を調整するようにしたことを特徴とする請求項１乃至４いずれか１項記載の蓄熱空気調和機。
【請求項６】
前記被調和室の温度が所定温度以上になるのを抑制すべく、当該所定温度に達すると、前記制御部が前記送風機の送風量を増大させるようにしたことを特徴とする請求項１乃至５いずれか１項記載の蓄熱空気調和機。
【請求項７】
前記熱移送部が前記蓄熱部に冷熱を蓄熱する際には、当該蓄熱部の熱を吸収し、その熱を前記熱搬送媒体を介して機外に吐出させ、前記蓄熱部に温熱を蓄熱する際には、機外の熱を前記熱搬送媒体を介して吸収し、その熱を前記蓄熱部に放熱する電子温冷素子を備え、かつ、前記制御部が前記電子温冷素子に接続されている電源の状態を検知して、当該電源の容量が低下し又は低下する恐れがあるときには前記電子温冷素子への通電を抑制又は遮断するようにしたことを特徴とする請求項１乃至６いずれか１項記載の蓄熱空気調和機。
【請求項８】
前記蓄熱空気調和機が車両に搭載されて、該車両の走行時に冷熱又は温熱を蓄熱するように設定されて、当該車両のバッテリ充電量が低下したときに前記電子温冷素子への通電を抑制又は遮断するようにしたことを特徴とする請求項７項記載の蓄熱空気調和機。
【請求項９】
前記蓄熱空気調和機が車両に搭載されて、該車両の走行時に冷熱又は温熱を蓄熱するように設定されて、当該車両がアイドリング状態になったときに前記電子温冷素子への通電を抑制又は遮断するようにしたことを特徴とする請求項７又は８項記載の蓄熱空気調和機。
【発明の詳細な説明】
【０００１】
【発明の属する技術分野】
本発明は、長距離トラック等の車両に搭載して好適な蓄熱空気調和機に係り、特に走行中に冷熱又は温熱を蓄熱し、この熱を用いて停車中にも冷房又は暖房運転が行えるようにした蓄熱空気調和機に関する。
【０００２】
【従来の技術】
今日、長距離トラック等においては、冷暖房が可能なように空気調和機が略標準装備され、また運転座席の後部側等に仮眠室を設けた車両が市場に提供されている。なお、以下の説明では被調和室を車内として説明する。
【０００３】
かかる場合に、冷房はエンジンから駆動力を受けて回転する圧縮機を備えた冷凍回路を運転して行われ、また暖房はエンジンの廃熱を利用して行われている。
【０００４】
ところが、仮眠室で仮眠する際にはエンジンを停止してしまうのが一般的で、冬場は寒く逆に夏場は暑いために十分な仮眠を取ることが困難になる問題があった。
【０００５】
そこで、特開平８−１９２６１９号公報等においては、蓄熱材を備えた蓄熱空気調和機が開示されている。
【０００６】
そして、走行中の冷房は冷凍回路を運転させることにより行い、また暖房はエンジンの廃熱を利用することにより行い、仮眠中のようにエンジン停止時における冷暖房は、走行中に冷熱又は温熱を以下のようにして蓄熱し、その熱を熱源として利用することにより行っている。
【０００７】
即ち、当該蓄熱空気調和機は、冷凍回路と連結されると共に、蓄熱用蒸発器を備えて、冷熱の蓄熱は冷凍回路を循環する冷媒の一部を蓄冷用蒸発器で蒸発させることにより、この蓄冷用蒸発器に密接配置された蓄熱材を冷却して行っている。
【０００８】
一方、温熱の蓄熱は、蓄冷用蒸発器を介して機内空気が循環するように流路を形成すると共に、当該流路中にヒータを設けて、走行中にヒータで加熱した空気を蓄熱材と熱交換させることにより行っている。
【０００９】
そして、このようにして蓄熱された冷熱又は温熱を熱源として、仮眠中等のエンジン停止時における冷暖房を行うようになっている。
【００１０】
【発明が解決しようとする課題】
しかしながら、上記構成では、効率的に冷熱又は温熱が蓄熱でき、かつ、この熱を効率的に利用できない問題があった。
【００１１】
そこで、本発明は、効率的に冷熱又は温熱が蓄熱でき、かつ、利用できるようにした蓄熱空気調和機を提供することを目的とする。
【００１２】
【課題を解決するための手段】
上記課題を解決するため、請求項１にかかる発明は、熱搬送媒体と被調和室の空気とを熱交換させる熱交換部と、該熱交換部と配管により環状に接続されと共に、冷熱又は温熱のうち少なくとも一方を蓄熱する蓄熱材を備えた蓄熱部と、熱交換部に蓄熱部と並列接続されると共に、蓄熱部と熱接触して設けられて、蓄熱材との間で熱を移動させて蓄熱させる熱移送部と、該熱移送部と蓄熱部との並列接続点位置に設けられて、蓄熱部に冷熱又は温熱を蓄熱する際には、熱搬送媒体が熱交換部と熱移送部との間を循環するように循環路を切換えて、該熱移送部により熱搬送媒体と蓄熱部とを熱交換させて該蓄熱部に蓄熱させ、また蓄熱部に蓄熱した冷熱又は温熱を利用する際には、熱搬送媒体が熱交換部と蓄熱部との間を循環するように循環路を切換えて、蓄熱部に蓄熱した熱により冷却又は加熱された熱搬送媒体が熱交換部で被調和室の空気と熱交換できるようにする循環路切換部と、蓄冷材への蓄熱が完了した後は、熱搬送媒体の温度と被調和室の温度との温度差が所定値より小さくなるまで、循環路切換部による循環路の切換えを行わないようにする制御部とを有することを特徴とする。
【００１３】
請求項２にかかる発明は、制御部が、蓄熱の完了後所定時間だけ循環路切換部が循環路を切換えないようにして、熱搬送媒体の温度と被調和室の温度との温度差が所定値より小さくなるまで待機させるようにしたことを特徴とする。
【００１４】
請求項３にかかる発明は、熱交換部が、熱搬送媒体と被調和室の空気とを熱交換させる熱交換器と、該熱交換器を介して被調和室の空気を循環させる送風機とを有し、かつ、制御部が冷房又は暖房運転の開始直後所定時間だけ送風機の風量を少なくし又は送風を停止するようにしたことを特徴とする。
【００１５】
請求項４にかかる発明は、制御部は、被調和室の温度が設定温度になると、その状態を維持すべく送風機の風量を減らし又は当該送風機を断続運転させるようにしたことを特徴とする。
【００１６】
請求項５にかかる発明は、熱搬送媒体を循環させるポンプが設けられ、被調和室の温度が設定温度になると、制御部がこの状態を維持すべく、ポンプを制御して熱搬送媒体の循環量を調整するようにしたことを特徴とする。
【００１７】
請求項６にかかる発明は、被調和室の温度が所定温度以上になるのを抑制すべく、当該所定温度に達すると、制御部が送風機の送風量を増大させるようにしたことを特徴とする。
【００１８】
請求項７にかかる発明は、熱移送部が蓄熱部に冷熱を蓄熱する際には、当該蓄熱部の熱を吸収し、その熱を熱搬送媒体を介して機外に吐出させ、蓄熱部に温熱を蓄熱する際には、機外の熱を熱搬送媒体を介して吸収し、その熱を蓄熱部に放熱する電子温冷素子を備え、かつ、制御部が電子温冷素子に接続されている電源の状態を検知して、当該電源の容量が低下し又は低下する恐れがあるときには電子温冷素子への通電を抑制又は遮断するようにしたことを特徴とする。
【００１９】
請求項８にかかる発明は、蓄熱空気調和機が車両に搭載されて、該車両の走行時に冷熱又は温熱を蓄熱するように設定されて、当該車両のバッテリ充電量が低下したときに電子温冷素子への通電を抑制又は遮断するようにしたことを特徴とする。
【００２０】
請求項９にかかる発明は、蓄熱空気調和機が車両に搭載されて、該車両の走行時に冷熱又は温熱を蓄熱するように設定されて、当該車両がアイドリング状態になったときに電子温冷素子への通電を抑制又は遮断するようにしたことを特徴とする。
【００２１】
【発明の実施の形態】
本発明の実施の形態を図を参照して説明する。図１は、本発明にかかる蓄熱空気調和機２の概略構成を示す図であり、図２はその回路図である。
【００２２】
当該蓄熱空気調和機２は、断熱材１１が内設された断熱ケース１０、該断熱ケース１０内に収納された蓄熱材２１を備える蓄熱部２０、該蓄熱部２０と熱接触して設けられて、蓄熱材２１に熱を移動させて蓄熱させるペルチェ素子等からなる電子温冷素子３１を備えた熱移送部３０、蓄熱部２０に蓄熱した熱を取出し、又は当該蓄熱部２０に蓄熱するために車内空気等と熱搬送媒体とを熱交換させる熱交換器４１を備えた熱交換部４０、熱搬送媒体が循環する循環路を切換える切換弁５１を備えた循環路切換部５０、熱移送部３０や熱交換部４０及び循環路切換部５０等の制御を行う制御部６０等を有している。
【００２３】
そして、熱交換部４０に対して蓄熱部２０と熱移送部３０とが並列になるように配管３により接続されている。
【００２４】
断熱ケース１０には断熱性の断熱蓋１２が設けられて、当該断熱蓋１２の周辺部にパッキン１３が配設されている。これにより、断熱蓋１２を閉じた際に蓄熱材２１が零れたりしないようになっている。
【００２５】
蓄熱部２０は、冷熱又は温熱を蓄熱する上述した蓄熱材２１、該蓄熱材２１での蓄熱が効率的に行われるように基板２２に複数のフィン２３が立設されてなる蓄熱側ヒートシンク２４等により構成されて、蓄熱材２１はフィン２３の間に貯留されるようになっている。
【００２６】
なお、蓄熱材２１としては、冷熱を蓄熱する際には水又はグリセリン水和物が好ましく、温熱を蓄熱する際にはパラフィン系のスクアラン水和物又は酢酸ナトリウム水和物が好ましい。ここで水和物とは、水分を含んでいるものをいう。
【００２７】
フィン２３の付根部分には、熱搬送媒体の循環路をなす流路４が形成されている。
【００２８】
熱移送部３０は、一方の面に蓄熱側ヒートシンク２４が熱接触して設けられて所定方向に熱を移動させる電子温冷素子３１、該電子温冷素子３１の他方の面に熱接触して設けられて当該電子温冷素子３１を介して蓄熱材２１と効率的に熱交換できるようにする熱源側ヒートシンク３２等を有し、この熱源側ヒートシンク３２にも熱搬送媒体の流路４が形成されている。
【００２９】
電子温冷素子３１は、蓄熱側ヒートシンク２４と熱源側ヒートシンク３２とにより熱接触を保って挟持されて、この電子温冷素子３１に流す電流の向により吸熱面と放熱面との位置が入れ替って、熱流の方向が変化する。なお、熱流とは吸熱面から放熱面に熱が伝導する際の熱の流れを言う。
【００３０】
例えば、図１で蓄熱側ヒートシンク２４と接する面をＡ面とし、熱源側ヒートシンク３２と接する面をＢ面とすると、一方の向に電流を流すとＡ面が吸熱面となり、Ｂ面が放熱面となる。
【００３１】
従って、この場合は蓄熱材２１の熱がＡ面から吸収されＢ面から熱源側ヒートシンク３２を介して熱搬送媒体に放出されて、当該蓄熱材２１は熱を失い冷却される。即ち、蓄熱材２１に冷熱が蓄熱される。
【００３２】
一方、電流の向を逆にすると熱源側ヒートシンク３２を介して熱搬送媒体の熱がＢ面を介して吸収され、Ａ面から蓄熱側ヒートシンク２４を介して蓄熱材２１に放熱されて、当該蓄熱材２１が加温されるようになる。即ち、蓄熱材２１に温熱が蓄熱される。
【００３３】
熱交換部４０は、熱搬送媒体と車内空気等とを熱交換させる熱交換器４１、該熱交換器４１に車内空気を送風する送風機４２等を有している。
【００３４】
循環路切換部５０は、熱搬送媒体が蓄熱部２０と熱交換部４０との間を循環するか、熱移送部３０と熱交換部４０との間を循環するかを切替える切換弁５１、熱搬送媒体を循環させるポンプ５２等を有している。
【００３５】
なお、図２では切換弁５１を２つ設けた場合を示しているが、１つであっても熱搬送媒体の循環路を切替えることができることは言うまでもない。
【００３６】
また、図２における実線矢印は、蓄熱材２１に冷熱又は温熱を蓄熱する際の熱搬送媒体の流れを示し、点線矢印は蓄熱材２１に蓄熱した冷熱又は温熱を取出す際の熱搬送媒体の流れを示している。
【００３７】
制御部６０は、蓄熱側ヒートシンク２４に設けられて、当該蓄熱側ヒートシンク２４の温度を検出する蓄熱側温度検出器６２、熱源側ヒートシンク３２に設けられて、当該熱源側ヒートシンク３２の温度を検出する熱源側温度検出器６３、車内等の温度を検出する外気温検出器６４、熱搬送媒体の温度を検出する熱搬送媒体温度検出器６５、これら各温度検出器６２〜６５からの信号に基づき電子温冷素子３１への通電量や切換弁５１等を制御する制御器６１等を有している。
【００３８】
次に、このような構成の蓄熱空気調和機２の制御方法を運転方法と共に説明する。なお、蓄熱する熱が冷熱であるか温熱であるかは、基本動作としては違いがないので、以下の説明では冷熱を蓄熱し、冷房を開始するまでの待機中の制御内容を例に図３を参照して説明する。
【００３９】
なお、図３においてＴ１〜Ｔ４は、それぞれ蓄熱側温度検出器６２、熱源側温度検出器６３、外気温検出器６４、熱搬送媒体温度検出器６５の検出温度を示している。また、Ａ１〜Ａ４は設定値を示し、これらの詳細な意味については後述するが、Ａ１は蓄熱完了判断値、Ａ２は流路切換判断値、Ａ３は熱源利用判断値、Ａ４は空調開始判断値と呼称する。
【００４０】
先ず、当該蓄熱空気調和機２を長距離トラック等に設置する。本発明にかかる蓄熱空気調和機２は、電子温冷素子３１や送風機４２等に電源を供給するだけで動作させることができるので、既存の空気調和機と接続する必要がない。従って、利用者が自分で容易に設置できる利点がある。
【００４１】
蓄熱空気調和機２の設置が完了すると、当該蓄熱空気調和機２に蓄熱材２１を貯留する。この蓄熱材２１としては、上述したように種々のものが考えられる。
【００４２】
この蓄熱材２１の貯留は、断熱蓋１２を開けて、フィン２３間に流し込むことにより行い、又は蓄冷材２１を容器に封入して挿入して行う。なお、断熱蓋１２にはパッキン１３が設けられて走行中に貯留された蓄熱材２１が零れたりしないようになっている。
【００４３】
そして、蓄熱空気調和機２の運転を開始する（ステップＳ１）。蓄熱材２１に冷熱を蓄熱する場合には、電子温冷素子３１が蓄熱側ヒートシンク２４を介して蓄熱材２１の熱を吸熱し、その熱を熱源側ヒートシンク３２を介して熱搬送媒体に放熱するように電流を流す。
【００４４】
これにより、蓄熱材２１の熱が熱搬送媒体に放熱されて、当該熱搬送媒体の温度が上がる。この熱搬送媒体は、熱交換器４１を循環しているので、当該熱交換器４１で車内空気と熱交換する。
【００４５】
このとき、車内は既存の空気調和機により冷房されて温度が低くなっているので、熱搬送媒体は効率的に熱交換（放熱）できるようになり、蓄熱材２１の熱を効率的に奪うことが可能になる。即ち、効率的に冷熱を蓄冷することができるようになる。
【００４６】
特に、グリセリン水和物は、５〜１０℃で凝固するので、高効率に凝固させることができるようになる。
【００４７】
蓄熱材２１に冷熱が十分に蓄熱されたか否かは、ステップＳ２で蓄熱側温度検出器６２からの温度Ｔ１が蓄熱完了判断値Ａ１より低くなったか否かで行う。
【００４８】
蓄熱完了判断値Ａ１としては、グリセリン水和物は５℃で凝固するので、この値を設定することが可能である。
【００４９】
蓄熱材２１に十分な冷熱が蓄熱されると、それ以上の蓄熱作用は不要になるので、電子温冷素子３１への通電を停止する。
【００５０】
蓄熱材２１は上述したように断熱ケース１０に収納されているが、物理的に完全に断熱することは困難なので、徐々に蓄熱した熱が失われる。このような場合には、電子温冷素子３１に通電する電流を減らしたり、断続的な通電にしたりして蓄熱完了状態を保持するように制御することが好ましい。
【００５１】
また、エンジンがアイドリング状態等の回転数が低下した場合には電子温冷素子３１への通電量を減らしたり印可電圧を低下させたりしてエンジン負荷を軽くすることが可能であり、同様にバッテリの充電量が少なくなっているような場合にも電子温冷素子３１への通電量を減らしたり印可電圧を低下させたりしてバッテリに十分な充電が行われるようにすることが好ましい。
【００５２】
このようにして蓄熱した冷熱を利用して冷房運転するためのスタンバイのために、ステップＳ４に進む。
【００５３】
ステップＳ４では、外気温検出器６４で検出した車内温度Ｔ３と熱源側温度検出器６３で検出した熱源側ヒートシンク３２の温度Ｔ２との温度差が、流路切換判断値Ａ２より大きいか否かを判断する。
【００５４】
冷熱を蓄熱しているときは、電子温冷素子３１から熱源側ヒートシンク３２を介して熱搬送媒体に放熱され、当該熱搬送媒体が配管３で接続された熱交換器４１を循環するので、これらの温度は熱源側ヒートシンク３２の温度Ｔ２に略等しく、かつ、少なくとも車内温度Ｔ３より高くなっている。
【００５５】
従って、このような状態で、後述する冷房運転を行うと、これらを車内温度まで冷却のために蓄熱した冷熱が利用されることになり、冷熱の利用効率が低下すると共に生暖かい空気が送風されて不快感を与えてしまう。
【００５６】
そこで、熱源側ヒートシンク３２の温度Ｔ２、即ち熱交換器４１や配管３等の温度が車内温度Ｔ３になるまで流路切換を行わない。
【００５７】
そして、ステップＳ５で熱交換器４１と熱源側ヒートシンク３２との間を循環していた熱搬送媒体を熱交換器４１と蓄熱側ヒートシンク２４との間を循環するように切換弁５１を切換える。即ち、熱搬送媒体を図２に示す実線矢印から点線矢印の方向に循環させる。
【００５８】
これにより、熱搬送媒体は蓄熱側ヒートシンク２４を介して蓄熱材２１により冷却されて温度が下がり、冷房のスタンバイが完了する。つまりいつ冷房が開始されても、冷気が発生し車内が冷房される。
【００５９】
なお、冷房開始時は、送風量を少なくし時間の経過と共に送風量を増大させたり、一定時間送風を行わないようにしたりすることにより、生暖かい空気が送風されることによる不快感を防止することができる。
【００６０】
そして、車内温度が設定温度に達すると、送風機４２の回転数を下げて送風量を少なくし、またはポンプ５２の回転数を下げて熱搬送媒体の循環量を少なくする等を行い車内温度が設定値を保つようにする。
【００６１】
車内温度が略設定値に保持されると、送風量に強弱をつけて心地よさを増すように制御することも可能である。
【００６２】
このようにして冷房のスタンバイが行われるが、蓄熱した熱量は限りがあるので、無制限にスタンバイ状態を続けることはできない。
【００６３】
ステップＳ６では、継続して冷房スタンバイが可能か否かの判断を行っている。冷房スタンバイが可能か否かの判断は、蓄熱材２１の温度Ｔ１が予め設定された冷熱源利用判断値Ａ３より高いか否かを判断すると共に熱搬送媒体の温度Ｔ４と蓄熱材２１の温度Ｔ１との温度差Ｔ４−Ｔ１が空調開始判断値Ａ４より低くなったか否かを判断して、これらの条件が共に満たされる場合には蓄熱材２１の冷熱が少なくなったと判断する。従って、冷房スタンバイは中止されてステップＳ７に進む。
【００６４】
原理的に蓄熱材２１は車内温度に等しくなるまで利用できるが、実用上は室温近くになると冷熱源としての機能が望めなくなり、実際の冷房開始時に直ぐに冷房が終ってしまう。
【００６５】
また、蓄熱材２１が冷熱源利用判断値Ａ３であっても、熱搬送媒体の温度Ｔ４と蓄熱材２１の温度Ｔ１とは一致しない。
【００６６】
そこで、熱搬送媒体の温度Ｔ４と蓄熱材２１の温度Ｔ１との差が空調開始判断値Ａ４より小さくなったか否かを判断している。
【００６７】
このようにして、蓄熱材２１の蓄熱量が減少したと判断するとステップＳ７で熱搬送媒体の流路を切換え、電子温冷素子３１に通電を開始して蓄熱を行うべくステップＳ２に戻る。
【００６８】
【発明の効果】
以上説明したように、本発明によれば、蓄冷材に蓄熱した熱を熱源として冷房又は暖房運転のスタンバイを行う際に、熱搬送媒体の温度と被調和室の温度との温度差が所定値より小さくなるまで、循環路切換部による循環路の切換えを行わないようにする制御するようにしたので、効率的に冷熱又は温熱を利用できるようになる。
【００６９】
また、制御部が、蓄熱を完了してから所定時間だけ循環路切換部が循環路を切換えないようにして、熱搬送媒体の温度と被調和室の温度との温度差が所定値より小さくなるまで待機させるようにしたので、効率的に冷熱又は温熱が利用できるようになる。
【００７０】
また、制御部が冷房又は暖房運転の開始直後所定時間だけ送風機の風量を少なくし又は送風を停止するようにしたので、適温に達する前の空気が送風されないようになって利用者に不快感を与えることが無くなる。
【００７１】
また、制御部は、被調和室の温度が設定温度になると、その状態を維持すべく送風機の風量を減らし又は当該送風機を断続運転させるようにしたので、効率的に冷熱又は温熱が利用できるようになる。
【００７２】
また、被調和室の温度が設定温度になると、制御部がこの状態を維持すべく、ポンプを制御して熱搬送媒体の循環量を調整するようにしたので、効率的に冷熱又は温熱が利用できるようになる。
【図面の簡単な説明】
【図１】本発明の実施の形態の説明に適用される蓄熱空気調和機の断面図である。
【図２】回路図である。
【図３】制御例を示すフローチャートである。
【符号の説明】
２  蓄熱空気調和機
２０  蓄熱部
２１  蓄熱材
２４  蓄熱側ヒートシンク
３０  熱移送部
３１  電子温冷素子
３２  熱源側ヒートシンク
４０  熱交換部
４１  熱交換器
４２  送風機
５０  循環路切換部
５１  切換弁
６０  制御部
６１  制御器
６２  蓄熱側温度検出器
６３  熱源側温度検出器
６４  外気温検出器
６５  熱搬送媒体温度検出器
【図１】
0003631097.tif 000002
【図２】
0003631097.tif 000003
【図３】
0003631097.tif 000004